(57)【特許請求の範囲】
【請求項１】
上下に貫通する吸気口を設けた天板と、前記天板の吸気口から空気を吸引して浄化したのち排出するために前記天板の下方に配置した平面視角形又は円形の空気浄化装置とを備えており、天板が空気浄化装置の外側に広がっていると共に、前記天板を平面視角形に形成するか、或いは、天板の周縁を３か所以上において脚で支持することにより、テーブルの周囲のうちコーナー部の箇所や脚の箇所のような複数箇所が、通常の使用状態で人が座ることのない非使用部になっているテーブルであって、
前記空気浄化装置は、フィルターやファンを内蔵すると共に浄化済空気を下方に放出する本体ケースと、本体ケースを下方から覆うように配置されると共にねじ止めによって取付けられた上向き開口の下ダクトとを備えており、前記下ダクトを、本体ケースの下面全体を下方から覆うような大きさに形成し、この下ダクトに、浄化済空気を前記複数の非使用部のうち少なくとも一つの非使用部に向けて略水平方向に放出する排気口が設けられている、
空気浄化装置付きテーブル。
【請求項２】
前記空気浄化装置と下ダクトとは平面視で四角形に形成されており、下ダクトのコーナー部を切欠くことによって排気口と成している、
請求項１に記載した空気浄化装置付きテーブル。
【発明の詳細な説明】
【０００１】
【発明の属する技術分野】
本発明は、空気浄化装置を備えたテーブル（机やカウンターを含む）に関するものである。
【０００２】
【従来の技術】
この種のテーブルは、吸気口を設けた天板の下面に、中空状の本体ケースにフィルターや吸引ファン等を内蔵した空気浄化装置を設けた構造になっており、天板は、空気浄化装置に一体的に設けた脚で支持したり、空気浄化装置とは分離した状態に設けた脚で支持したりしている。
【０００３】
この空気浄化装置付きテーブルにおいては、浄化した空気を排出する排気口が必要がある。この点について例えば特開平  ４−６４３１０号公報では、排気口を下向きに開口することが記載されている。他方、本願出願人の先願に係る特開平７−１２４０２２号公報には、平面視矩形の天板を備えたテーブルにおいて、排気口をテーブルのコーナー部に設けて、平面視で天板の対角方向に開口させることが開示されている。
【０００４】
【発明が解決しようとする課題】
前記特開平  ４−６４３１０号公報のように排気口を下向きに開口させると、浄化された空気は床面を伝って全方向に流れて人の脚に直接に当たるため、使用者の健康に悪影響を与える虞があるばかりか、床面のゴミやホコリを舞い上げてしまう虞があり、好ましくない。
【０００５】
これに対して特開平７−１２４０２２号公報のように排気口をテーブルのコーナー部に設けて、空気を水平方向に噴出させると、浄化された空気が使用者に直接に当たることを防止又は著しく抑制できるため、使用者の健康面への悪影響を防止することができ、また、ゴミやホコリの舞い上がりも抑制することができる。
本発明は、前記先願の考え方を更に発展させ、より改善された空気浄化装置付きテーブルを提供することを目的とするものである。
【０００６】
【課題を解決するための手段】
本発明は、上下に貫通する吸気口を設けた天板と、前記天板の吸気口から空気を吸引して浄化したのち排出するために前記天板の下方に配置した平面視角形又は円形の空気浄化装置とを備えており、天板が空気浄化装置の外側に広がっていると共に、前記天板を平面視角形に形成するか、或いは、天板の周縁を３か所以上において脚で支持することにより、テーブルの周囲のうちコーナー部の箇所や脚の箇所のような複数箇所が、通常の使用状態で人が座ることのない非使用部になっているテーブルであって、前記空気浄化装置は、フィルターやファンを内蔵すると共に浄化済空気を下方に放出する本体ケースと、本体ケースを下方から覆うように配置されると共にねじ止めによって取付けられた上向き開口の下ダクトとを備えており、前記下ダクトを、本体ケースの下面全体を下方から覆うような大きさに形成し、この下ダクトに、浄化済空気を前記複数の非使用部のうち少なくとも一つの非使用部に向けて略水平方向に放出する排気口が設けられている。
【０００７】
本発明において、天板を支持する脚体は空気浄化装置と一体化した状態で設けても良いし、空気浄化装置と分離した位置に脚体を設けて、空気浄化装置は天板の下面から吊り下げられた状態にしても良い。また、空気浄化装置自体を脚体に兼用しても良い。更に、排気口は人の膝程度の高さ位置でも良い。
【０００８】
【発明の奏する効果】
このように構成すると、排気口は略水平方向に向いているため、排気口から噴出した浄化済空気によって床のゴミやホコリが舞い上げられることを防止又は抑制できる。
【０００９】
また、例えば、テーブルの使用者が椅子にもたれ掛かって喫煙する場合のように、テーブルの使用者が煙草を天板の外側に位置させた場合であっても、排気口がテーブルの下部に位置しているため、煙草の煙が浄化済空気によってテーブルの外側に拡散されるることはなく、従って、煙草の煙を的確に吸引して浄化できる。
【００１０】
そして、本体ケースの下面に設けた下ダクトに排気口を設けたものであるから、大きさの異なるテーブルに空気浄化装置を取付ける場合、下ダクトの大きさだけを変えることにより、１種類の空気浄化装置で対応することができるため、換言すると、大きさの異なるテーブルについて空気浄化装置の大部分を共通化することができるため、製造の手間を省くことができる。
【００１１】
なお、天板を支持する脚体を下ダクトに固定してもよく、このようにすると、脚体が下ダクトによって補強されるため、テーブル全体として頑丈な構造になる利点がある。
【００１２】
【発明の実施形態】
次に、本発明の実施形態を図面に基づいて説明する。
図１〜図９では第１実施形態を示しており、このうち図１（Ａ）でテーブル１の全体の外観を示してしている。テーブル１は、平面視長方形の天板２と、天板２を支持する左右一対の脚体３と、左右脚体３の間に配置した空気浄化装置４とを備えている。
【００１３】
天板２の中央部には角形の吸気口５が開口しており、この吸気口５には、カゴ状の保護枠６と補助天板７とを備えた蓋装置８を嵌め込み装着している。なお、吸気口５は単なる網状のカバーで覆うなどしても良い。左右脚体３の前後両端部にはキャスター９を水平回動自在に取付けている。
以下、図１（Ｂ）以下の図に基づいて各部分の詳細を説明する。
【００１４】
図１（Ｂ）は要部の斜視図、図２〜図４は分離斜視図、図５はテーブル１の平面図、図６は天板２を省略した状態での概略平面図、図７のうち  （Ａ）は正面図、  （Ｂ）は図５の  ＶＩＩＢ−ＶＩＩＢ視正断面図、図８は図５のＶＩＩＩ−ＶＩＩＩ視断面図、図９は図７（Ｂ）のＩＸ−ＩＸ視平断面図である。
【００１５】
図２〜４等に示すように、空気浄化装置４は、フィルターユニット１０やファン１１等を内蔵した上下開口箱状の本体ケース１２と、本体ケース１２の上面に配置した金属板製の上ダクト１３と、本体ケース１２の下面に位置して上蓋１４で塞がれた下ダクト１５と、本体ケース１２の前後両側に配置した前後カバー１７ａ，１７ｂ  とを備えている。
【００１６】
例えば図２に示すように、本体ケース１２の前面のうち上部には、前記フィルターユニット１０を出し入れするため穴が開口しており、また、本体ケース１２の前面のうち下部には、ファン１１等を点検するための穴が開口している。これらの穴はそれぞれ着脱自在な蓋板２３ａ，２３ｂ  で塞がれている（空気の漏れ防止のためである）。
【００１７】
この場合、下方の蓋板２３ｂはねじ止めによって本体ケース１２に固定している。他方、上部の蓋板２３ａは、図２に示すキー４４ａの操作によって簡単に着脱できるようにしている（他の取付け手段でも良い）。
【００１８】
例えば図３に示すように、上ダクト１３は上向き開口の樋状に形成されており、底部には、本体ケース１２に連通する通気穴１８が開口している。また、上蓋１４にも、本体ケース１２と連通する通気穴１９が開口している。
【００１９】
これら上ダクト１３と下ダクト１５との奥行き寸法を本体ケース１２のそれよりもかなり大きい寸法に設定しており、通気穴１８，１９  を前後方向に偏らせた状態に空けている。また、上ダクト１３及び下ダクト１５の左右幅寸法も本体ケース１２の幅寸法よりもある程度大きい寸法に設定している。
【００２０】
左右脚体３は板状に形成されており、この左右脚体３の上端と上ダクト１３の上端とを同じ高さに設定している。また、上ダクト１３の左右両側を脚体３で塞いだ状態になっている。
【００２１】
すなわち、図７（Ｂ）に示すように、上ダクト１３の左右両端に形成した断面逆Ｌ字状の折曲げ片１３ａを、脚体３の内面に固着した上補強部材２０に重ね合わせてねじ止め等にて固着し、更に、例えば図２に示すように、脚体３の内面の前後両側に、上下長手の縦片２１を内向きに突設し、これら脚体３の前後縦片２１の間に上ダクト１３の左右両側部を挟み込むことにより、上ダクト１３の左右両面を脚体３で塞いでいる。
【００２２】
従って、天板２の吸気口５から吸い込まれた空気は、上ダクト１３の通気穴１８から本体ケース１２内部に流入する。上ダクト１３は、本体ケース１２及び左右脚体３に対してねじ止め等の適当な手段で固着している。また、左右脚体３の上端には外向きのフランジ３ａが形成されており、このフランジ３ａを天板２の下面にねじ２２（図７（Ｂ）参照）  で固着している。
【００２３】
図４や図７（Ｂ）、図８等に示すように、フィルターユニット１０は、本体ケース１２内に抜き差し自在な抽斗式の収納ケース２４と、この収納ケース２４内に格納された第１及び第２フィルターエレメント２５，２６  と、本体ケース１２の下面に配置した第３フィルターエレメント２７とから成っている。
【００２４】
第１フィルターエレメント２５はゴミやホコリを取るためのものである。第２フィルターエレメント２６は煙草の煙などを濾過するもので、紙や不織布等からなっている。第３フィルターエレメント２７は臭いを除去するためのもので、活性炭などの臭い吸着材を主要部材としている。
【００２５】
第３フィルターエレメント２７は、本体ケース１２の内部に設けた中間ガイド部材２８に嵌め入れており、その上に収納ケース２４を抜き差し自在に重ねている。なお、第３フィルターエレメント２８を収納ケース２４内に格納しても良い。また、実施形態のように三層のフィルターエレメントを設けることには限らず、一層のみでも良いし四層以上でも良い。収納ケース２４の前面には把手２９を設けている。
【００２６】
本体ケース１２の下部内面に棚板３０を水平状に配置し、この棚板３０の左右中間部にモータ３１を取付け、モータ３１の左右両側に、当該モータ３１で回転駆動されるファン１１を取付けている。ファン１１は、空気を軸方向から吸引して半径方向に排出するシロッコファンを採用しており、ファン１１はハウジング３２で上方から覆われている。
【００２７】
例えば図７（Ｂ）に示すように、上蓋１４の左右両側部に側片１４ａを折曲げ形成して、この側片１４ａを、左右脚体３の内面下部に固着した下補強部材３３にねじ止めによって固着している。従って、上蓋１４と左右脚体３との間はシールされており、このため、ファン１１で引き込まれた空気は、通気穴１９を介して下ダクト１５内に排出される。
【００２８】
図１（Ｂ）や図３、図９に示すように、下ダクト１５は上向き開口の樋状に形成されており、前後両側部の上端を蓋板１４の下面に重ね合わせることにより、大きな空間を形成している。また、下ダクト１５の左右両側部に断面逆Ｌ字状の折曲げ片１５ａを形成し、この折曲げ片１５ａを左右脚体３の下面にねじ３４で固着しており、これにより、下ダクト１５の左右両面を脚体３で塞いでいる。このように脚体３を利用して下ダクト１５の側面を塞ぐと、構造が簡単になると共に軽量化できる。
【００２９】
そして、下ダクト１５の４つのコーナー部をそれぞれ切欠くことにより、空気浄化装置４の下部に、天板２の対角方向と略同じ水平方向に向けて開口した４つの排気口３５を設けている。図１（Ａ）に二点鎖線で示すと共に図９では実線で示すように、各排気口３５には、ウレタン樹脂等の合成樹脂（ゴムでも良い）からなる保護エッジ３６を装着している。
【００３０】
図１（Ｂ）に示すように、下ダクト１５の前面又は後面の適当な箇所に、電源用コード３７を通す穴３８が空いている。この穴３８は、空気が漏れないように、ゴムのような弾性膜キャップ３９で塞がれている。
【００３１】
前後カバー１７ａ，１７ｂ  の構造は図２，４，８  によく示されている。これら前後カバー１７ａ，１７ｂ  は、その左右両側部が前記脚体３における縦片２１の前面に重なるように設定されており、後カバー１７ｂは縦片２１にねじ止めしている。他方、前カバー１７ａは簡単に着脱できるようになっており、その構造は図４及び図８に示されている。
【００３２】
すなわち、前カバー１７ａにおける内面の下部に、側面視で斜め下向きに延びる左右一対の下係合爪４０を設けて、この左右下係合爪４０を、支持板１４の前端部に形成した下係合穴４１に嵌め込む一方、上ダクト１３における底部の前端縁に左右一対の上係合穴４２を形成し、前カバー１７ａの裏面に、前記上係合穴４２に下方から嵌脱する上係合爪４３を回動自在に設けたもので、左右の上係合爪４３は、前カバー１７ａの前面からキー４４ａを回転操作することによって回動させることができる。
【００３３】
従って、下係合爪４０を下係合穴４１に嵌め込んだ状態で、キー４４ａを操作して上係合爪４３を上係合穴４２に嵌め入れると、前カバー１７ａは取付けられる。逆の手順で前カバー１７ａを取り外すことができる。なお、このキー４４ａは、本体ケース１２の上部の蓋板２３ａを着脱するものと同じである。
【００３４】
なお、キー４４ａを使用することなく、単に撮みを回転して係合爪４３を回動させる構造でも良い。また、前後両後カバー１７ａ，１７ｂ  とも着脱式にしても良い。更に、前後カバー１７ａ，１７ｂ  を着脱自在とする構造は、上下係合穴に上下係合爪を落とし込むなど、他の種々の手段を採用できる。
【００３５】
図４や図８に示すように、本体ケース１２の前面には、電源をＯＮ・ＯＦＦ  するためのリミットスイッチ（マイクロスイッチ）の接触子４５を前向きに突設している。他方、前カバー１７ａの裏面のうち前記接触子４５に対応した高さ部位には、前カバー１７ａを本体ケース１２に取付けると前記接触子４５を押し込む作動板４６が固着されており、前カバー１７ａによって接触子４５が押し込まれると電源が切れる。
【００３６】
リミットスイッチの接触子４５は回動式等でも良い。また、前カバー１７ａの開き状態を検知する手段としては、リミットスイッチのような接触式センサーには限らず、光電式等の非接触式センサーを使用しても良い。更に、前後カバー１７ａ，１７ｂ  は水平回動式又は上下回動式でも良い。
【００３７】
以上の構成において、図１（Ａ）に示すように、煙草等で汚れた空気は、空気浄化装置４の下部の各排気口３５から、平面視で天板２と対角方向とほぼ沿った方向に向けて排出される。そして、テーブル１の一般的な使用状態でコーナー部は人が座らない非使用部であるから、浄化済空気が使用者に直接に当たることはなく、このため使用者の健康に悪影響を与えることはない。
【００３８】
また、浄化済空気は水平方向に噴出されるから、床のゴミやホコリを舞い上げることもない。また、排気口３５は下部に位置しているから、テーブル１の周囲に腰掛けた人が煙草を持った手を天板２の外側に位置させても、煙草の煙をテーブル１の外側に拡散させることもない。更に、下ダクト１５で左右脚体３が連結されているから、テーブルは頑丈な構造になる。
【００３９】
実施形態のように前カバー１７ａの開閉に連動して電源をＯＮ・ＯＦＦ  する構成にすると、フィルターエレメント２５，２６，２７の交換や保守・点検に際しての安全性を向上できる利点がある。
【００４０】
なお、排気口３５の近傍にキャスター９を配置して、キャスター９を水平回動させることによって排気口３５が塞がれたり開いたりするように設定しても良い。また、排気口３５から噴出した空気をキャスター９の側面に当てて、方向を変化させるように設定しても良い。
【００４１】
上記の実施形態では各排気口３５をオープン状態にしていたが、図１０に第２実施形態として示すように、排気口３５に風向又は／及び風量の調節手段を設けても良い。このうち  （Ａ）に示すのは、多数のフィン４７をバー４８に連動連結し、バー４８に設けた撮み４９を操作して各フィン４７を一斉に回動させることによって風向と風量とを調節するようにしたルーバ式のものである。この場合、フィン４７を水平回動するように構成するなど、種々の形態を採用することができる。
【００４２】
図１０（Ｂ）  ではスライドシャッター式の風量調節手段を示している。すなわちこの実施形態では、下ダクト１５のような空気浄化装置４の下部に設けた排気口３５の箇所に、平面視で湾曲したガイドフレーム５０を装着し、このガイドフレーム５０の上下ガイド溝５１に、弾性変形可能な薄いシャッター板５２をスライド自在に装着し、撮みを持ってシャッター板５２を水平スライドさせることによって風量を調節できるようにしたものである。
【００４３】
このように風向又は風量調節手段を設けると、例えば、テーブル１の周囲のうち特定の部位にしか人が座らない場合は、使用者から遠い側の排気口３５からだけ排出させるというように、使用状態に応じてきめ細かな排気態様を選択することができる利点がある。なお、シャッター板を設ける場合、上下昇降式としても良い。
【００４４】
ところで、図１１に第３実施形態として示すように、天板２の一側縁の箇所だけに使用者が座るカウンタータイプのテーブル１の場合には、作業面をなるだけ広く取れるように、天板２の吸気口５は使用者と反対側に偏らせた状態で設けることになる。
【００４５】
この場合、空気浄化装置４の上面の開口穴と吸気口５とが同じ平面積であると、空気浄化装置４も大きく偏った状態で配置しなければならないため、脚体３を空気浄化装置４に一体化したタイプでは、テーブル１の安定性が低下する。
【００４６】
これに対して本実施形態のように、空気浄化装置４の上部を本体ケース１２の前後寸法及び左右寸法の大きい上ダクト１３で構成すると、天板２における吸気口５の位置がまちまちであっても、空気浄化装置４を大きく偏位させることなく、上ダクト１３と吸気口５とを平面視で重なり合わせることができるため、１種類の空気浄化装置４で対応できる。換言すると、吸気口５の位置が種々異なるテーブル１について、１種類の空気浄化装置４を共用することができる。
【００４７】
この図１１のような使用形態の場合は、排気口３５に風量調節手段を設けて、４つの排気口３５のうち背面寄りの二つの排気口３５から集中的に排気すると、浄化済空気が人に当たることをより確実に防止できる。
【００４８】
図１２に示すように、天板２が細長い場合には、複数台の空気浄化装置４を設けても良い。この場合も、各排気口３５に風量調節手段を設けて、天板２の外周寄りに位置した排気口３５のみから排気するように設定すると好適である。
【００４９】
空気浄化装置４の平面形状は矩形には限らず、例えば図１３に示すような円形などでも良い。この場合も、天板２が矩形である場合は、排気口３５が天板２の対角方向に向かうように配置するのが好適である。なお、この例では脚体３は空気浄化装置４とは分離した状態に設けている。
【００５０】
図１４で示すのは、円形の天板２の４か所（５か所以上でも良い）を脚３で支持した備えたテーブル１において、空気浄化装置４の排気口３５を各脚体３の箇所に向けて噴出させるようにした第６実施形態である。この場合も、脚体３の箇所は非使用部となるため、浄化済空気が使用者に直接当たることを防止又は著しく抑制できる。下ダクト１５は平面視円形でもよい。
【図面の簡単な説明】
【図１】（Ａ）はテーブルの全体斜視図、  （Ｂ）は排気口の斜視図である。
【図２】分離斜視図である。
【図３】分離斜視図である。
【図４】分離斜視図である。
【図５】テーブルの平面図である。
【図６】天板を省略した状態での概略平面図である。
【図７】（Ａ）は正面図、  （Ｂ）は図５の  ＶＩＩＢ−ＶＩＩＢ視正断面図である。
【図８】図５のＶＩＩＩ−ＶＩＩＩ視断面図である。
【図９】図７（Ｂ）のＩＸ−ＩＸ視平断面図である。
【図１０】第２実施形態を示す図である。
【図１１】第３実施形態を示す図である。
【図１２】第４実施形態を示す図である。
【図１３】第５実施形態を示す図である。
【図１４】第６実施形態を示す図である。
【符号の説明】
１  テーブル
２  天板
３  脚体
４  空気浄化装置
５  吸気口
８  蓋装置
１０  フィルターユニット
１１  ファン
１２  本体ケース
１３  上ダクト
１４  上蓋
１５  下ダクト
１７ａ  前カバー
１８，１９    通気穴
２５，２６，２７  フィルターエレメント
３１  モータ
３５  排気口
【図１】
0003575521.tif 000002
【図２】
0003575521.tif 000003
【図３】
0003575521.tif 000004
【図４】
0003575521.tif 000005
【図５】
0003575521.tif 000006
【図６】
0003575521.tif 000007
【図７】
0003575521.tif 000008
【図８】
0003575521.tif 000009
【図９】
0003575521.tif 000010
【図１０】
0003575521.tif 000011
【図１１】
0003575521.tif 000012
【図１２】
0003575521.tif 000013
【図１３】
0003575521.tif 000014
【図１４】
0003575521.tif 000015